(57)【要約】【課題】上下方向寸法を小さくすることにより全体的にコンパクトにできる遊技機の電動役物を提供する。【解決手段】本発明に係る電動役物では、可動翼片対８，８の後方にソレノイド３５、プランジャ３０を配置し、その進退を可動翼片対８，８に伝達するにあたり、遊技球の流路と干渉しない位置に伝達機構を配設した。具体的には、球流路と干渉しないよう、その右側方にスライド部材２１を配置し、その前方に球流路を上側で避けるような形状の操作部材２２を配置して、スライド部材２１の進退運動を操作部材２２の回動運動に変換するようにした。そして、操作部材２２によって可動翼片対８，８を回動させるようにした。即ち、左右側方領域を有効に利用することにより、役物の上下方向寸法を小さくでき、それによって役物を全体的にコンパクトにすることができる。従って、遊技盤上において、他の構成要素のレイアウトの自由度を増やすことができる。【選択図】図３
2008173413.tif 000002
【特許請求の範囲】
【請求項１】
遊技盤に取り付けられる取付板の前側に設けられ、遊技盤に垂直な軸心を中心に起立および傾動可能な一対の可動翼片対と、前記取付板の後側に設けられ、前記可動翼片対で受け入れた遊技球を後方に案内する遊技球流路を有する筐体状の案内部と、当該案内部の後方に設けられたソレノイドの消磁、励磁により進退するプランジャとを備え、当該プランジャと前記可動翼片対とが連結部材で連結され、前記プランジャの進退によって前記可動翼片対が起立および傾動するようにされた遊技機の電動役物であって、
前記連結部材は、前記取付板の後方にて、水平方向および前記取付板に平行な軸心を中心に回動可能に軸支されて、この軸心を中心に回動することで前記可動翼片対に対して直接力を付与する操作部材と、当該操作部材と前記プランジャとの間に介在し、前後方向に摺動することで前記プランジャの進退を前記操作部材に伝達するスライド部材とを備え、
当該スライド部材は、前記遊技球流路の右側または左側の何れか一方に位置するように設けられて前記操作部材と連結されていることを特徴とする遊技機の電動役物。
【請求項２】
前記スライド部材は、前記プランジャに連結された第１のスライド部材と、この第１のスライド部材と連動可能で、前記操作部材に係合するように配設された第２のスライド部材とから構成され、前記第１のスライド部材は、
前記可動翼片対が起立状態のときに前記操作部材の回動を抑制し、前記プランジャが後退するのに伴って前記操作部材の回動を許容する回動抑制部を備えていることを特徴とする請求項１に記載の遊技機の電動役物。
【請求項３】
前記可動翼片対の上方には、遊技球を受け入れる入賞口が設けられ、当該入賞口の後方において、前記遊技球流路とほぼ平行に球通路を設けると共に、前記スライド部材が設けられた側とは反対側に前記遊技球の出口が形成されていることを特徴とする請求項１または２に記載の遊技機の電動役物。
【発明の詳細な説明】
【技術分野】
【０００１】  本発明は、遊技機の電動役物に関し、詳細には、ソレノイドの励磁、消磁によるプランジャの進退によって起立および傾動可能な可動翼片対を備えた遊技機の電動役物に関する。
【背景技術】
【０００２】  従来から、起立、傾動可能な一対の可動翼片を遊技盤に設け、遊技盤の裏側にプランジャ形式のソレノイドを設けて、このプランジャと可動翼片対とをリンク機構等で連結し、プランジャの進退によって可動翼片を回動可能とした遊技機の電動役物が使用されている。例えば、特許文献１では、遊技球の流路の直上にプランジャ形式のソレノイドを重ねて、該プランジャと可動翼片とを係合ピン、レバー部材および軸杆から構成されるリンク機構で連結し、プランジャの進退によって可動翼片が起立、傾動するようにしたパチンコ機の入賞装置が開示されている。
【特許文献１】特開平７−２８４５５６号公報
【発明の開示】
【発明が解決しようとする課題】
【０００３】  しかしながら、特許文献１に記載の入賞装置では、遊技球の流路の直上にソレノイドを設けているため、全体的に上下方向寸法が大きくなってしまい、遊技盤に設けられる他の構成部品が、その寸法や配置領域に制限を受けるという問題があった。特に、昨今の遊技機においては、センター役物と称される可変動入賞装置や図柄変動表示装置等が大型化の傾向にあることから、遊技領域の有効スペースが狭くなり、結果的にそれらに関連する入賞装置をなるべくコンパクトにすることが求められている。【０００４】  本発明は、上記課題を解決するためになされたものであり、上下方向寸法を小さくすることにより全体的にコンパクトにできる遊技機の電動役物を提供することを目的とする。
【課題を解決するための手段】
【０００５】  上記目的を達成するために、本発明の請求項１に記載の遊技機の電動役物は、遊技盤に取り付けられる取付板の前側に設けられ、遊技盤に垂直な軸心を中心に起立および傾動可能な一対の可動翼片対と、前記取付板の後側に設けられ、前記可動翼片対で受け入れた遊技球を後方に案内する遊技球流路を有する筐体状の案内部と、当該案内部の後方に設けられたソレノイドの消磁、励磁により進退するプランジャとを備え、当該プランジャと前記可動翼片対とが連結部材で連結され、前記プランジャの進退によって前記可動翼片対が起立および傾動するようにされたものであって、前記連結部材は、前記取付板の後方にて、水平方向および前記取付板に平行な軸心を中心に回動可能に軸支されて、この軸心を中心に回動することで前記可動翼片対に対して直接力を付与する操作部材と、当該操作部材と前記プランジャとの間に介在し、前後方向に摺動することで前記プランジャの進退を前記操作部材に伝達するスライド部材とを備え、当該スライド部材は、前記遊技球流路の右側または左側の何れか一方に位置するように設けられて前記操作部材と連結されていることを特徴とする構成となっている。【０００６】  また、請求項２に記載の遊技機の電動役物では、請求項１に記載の発明の構成に加え、前記スライド部材は、前記プランジャに連結された第１のスライド部材と、この第１のスライド部材と連動可能で、前記操作部材に係合するように配設された第２のスライド部材とから構成され、前記第１のスライド部材は、前記可動翼片対が起立状態のときに前記操作部材の回動を抑制し、前記プランジャが後退するのに伴って前記操作部材の回動を許容する回動抑制部を備えていることを特徴とする。【０００７】  また、請求項３に記載の遊技機の電動役物では、請求項１または２に記載の発明の構成に加え、前記可動翼片対の上方には、遊技球を受け入れる入賞口が設けられ、当該入賞口の後方において、前記遊技球流路とほぼ平行に球通路を設けると共に、前記スライド部材が設けられた側とは反対側に前記遊技球の出口が形成されていることを特徴とする。
【発明の効果】
【０００８】  本発明の電動役物では、スライド部材が、正面視で遊技球流路の右側または左側に位置するように設けられ、左右何れか一方のみで可動翼片対を開閉させる操作部材と連結されている。即ち、スライド部材は左右の何れか片側のみに設けられているため、左右寸法の増加を最小限に抑えることができる。また、従来はソレノイドを球流路と正面視で重ならないように球流路の上方に設けていたのに対し、本発明の電動役物では、球流路の奥方にソレノイドを設け、正面視で球流路とソレノイドとが重なるように配置できるようにした。これにより、役物の上下方向寸法を小さくすることができ、電動役物を全体的にコンパクトにすることができる。さらに、可動翼片を開閉させる部材が、可動翼片の開閉に伴って上下方向および左右方向に動くことがないので、可動翼片の静止時、可動時によらず、電動役物の全体的な寸法を常に小さくすることができる。従って、電動役物を全体的にコンパクトにでき、遊技盤への取付領域も小さくできるので、盤面の電動役物周辺の領域および盤面全体を有効に利用することができる。【０００９】  また、スライド部材を第１のスライド部材、第２のスライド部材の互いに連動する２部材で構成し、第２のスライド部材が直接的に操作部材を回動させるのに対し、第１のスライド部材が操作部材の回動を抑制するようにした。詳細には、第１のスライド部材に回動抑制部を設け、当該抑制部が、可動翼片対が起立状態のときに操作部材の回動を抑制し、プランジャの後退に伴って操作部材の回動を許容するようにした。これにより、第１のスライド部材が第２のスライド部材を引っ張らない限り操作部材を回動させることができない、即ち第１のスライド部材を進退させない限り可動翼片対を傾動させることができないので、外部から可動翼片対を傾動させて無理やり開くといった不正行為を確実に防止することができる。加えて、操作部をスライド部材による片持ち状態としたことによる効果として、スライド部材が設けられた側の反対側の領域を有効に利用できることが挙げられ、その領域に遊技球出口が位置するようなチャッカーを可動翼片の上方に設けることができる。
【発明を実施するための最良の形態】
【００１０】  以下、本発明の第１の実施形態である電動役物１について、図を参照して説明する。ここで、図１は本発明に係る電動役物１の全体斜視図であり、図２は同正面図、図３は、電動役物１の分解斜視図である。まず、図１、２を参照して、電動役物１の全体構成について簡単に説明する。図１および図２に示すように、電動役物１は、合成樹脂材料で成形されており、所定厚を有する逆台形状の取付板５を備え、この取付板５が図示しない遊技機の遊技盤に螺設されることによって遊技盤に取り付けられるようになっている。【００１１】  取付板５の前側（図１中左側）には、可動翼片対８，８が回動可能に設けられている。可動翼片対８，８は、所定距離だけ離間した状態で一対に設けられた可動翼片８で構成されている。また、可動翼片対８，８の直前には、取付板５と相まってこの可動翼片対８，８を回動可能に支持するための前板６が設けられている。この前板６は、取付板５と平行になるように配設され、その下端部から取付板５方向に延びた底板７によって取付板５に一体的に設けられている。【００１２】  可動翼片対８，８は、自身下端部近傍にて回動可能に軸支されており、図２に示すような起立状態から、破線で示す矢印Ｏ方向に向かって傾動可能とされている。ここで、可動翼片対８，８が起立状態のときは、図中上方から流下した遊技球（図示外）を受け入れるのが困難となり、傾動状態のときは遊技球を受け入れることが容易となる。また、取付板５の略中央部には、可動翼片対８，８で受け入れられた遊技球が通過するための貫通孔１０５（図３参照）が穿設されている。さらに、取付板５の後側（図１における右側）には、遊技球が流下するための球流路が形成された筐体状の案内部３が設けられている。【００１３】  次に、図３を参照して、電動役物１の詳細な構造について説明する。まず、取付板５の前側の構造について説明する。図３に示すように、取付板５の前側において、前板６の背面からは、後方（図中右側）に向かって可動翼片８の回動中心となる２本の回動軸１８が凸設されている。可動翼片８の下端部近傍には、この回動軸１８が挿通される貫通孔１１８が前後方向に貫通して穿設されており、この貫通孔１１８に回動軸１８が嵌合して各可動翼片８が回動可能とされている。そして、底板７が取付板５に螺設されることによって、可動翼片対８，８が前板６と取付板５との間に挟まれた状態で取り付けられる。また、取付板５のほぼ中央には、可動翼片対８，８の離間寸法よりも大きい横幅を持つ略矩形の貫通孔１０５が設けられている。さらに、各可動翼片８の前面８ａにおける下端部からは、可動翼片対８，８が起立状態より内側に傾動しないように回動を規制するための突起１０８が下方に向かって突出している。【００１４】  次いで、取付板５の後側の構造について説明する。図３に示すように、取付板５の後側には、遊技球が流下していく筐体状の案内部３が設けられている。案内部３は、遊技球を流下させるための球流路を形成すべく、上下左右計４つの側壁を備えている。そして、この上下左右の側壁によって球流路が形成されている。詳しくは、案内部３は、取付板５側に形成された第１の案内部材１０３と、当該第１の案内部材１０３とは独��して設けられ、第１の案内部材１０３の後側に連結される第２の案内部材２０３とから構成されており、第１の案内部材１０３は、取付板５に設けられた略矩形の貫通孔１０５の上側縁から垂直後方に向かって延びた第１の上側壁７１と、貫通孔１０５の下側縁から垂直後方に向かって延びた第１の底側壁７２と、貫通孔１０５の左側縁（図中奥側縁）から垂直後方に向かって延びた第１の左側壁７３とから構成されている。各壁はそれぞれ矩形状であって、ほぼ同じ突出量をもって後方に延びている。【００１５】  また、第２の案内部材２０３は、第１の案内部材１０３に形成された第１の上側壁７１と連続するような第２の上側壁１７１、第１の左側壁７３と連続するような第２の左側壁１７３を備え、さらに、第２の上側壁１７１と垂直かつ第２の左側壁１７３と平行な右側壁７４を備えている。ここでいう連続するとは、第２の案内部材２０３を第１の案内部材１０３の直後に配置したとき、第１の案内部材１０３の上左各側壁の後端断面と、第２の案内部材２０３の上左各側壁の先端断面とがそれぞれぴったりと当接して、各側壁の外側面が連続するということを意味している。また、第２の案内部材２０３にのみ形成された右側壁７４は、その先端が、取付板５の裏面における貫通孔１０５の右側縁すぐ外側に当接するように形成されている。即ち、球流路を構成する側壁の内、上側および左側の壁は第１、第２の両案内部材１０３，２０３で構成されており、右側壁は、第２の案内部材２０３のみで構成されている。【００１６】  また、詳しく図示しないが、第２の案内部材２０３の底部には、遊技球の通過を検出するための検出スイッチ８５が設けられることになるため、底部は全体が壁状ではなく、スイッチを保持可能な形状に成形されている。具体的には、第２の案内部材２０３の底部には、第２の左側壁１７３と右側壁７４の後側下端部同士を連結するスイッチ保持板７５が設けられており、このスイッチ保持板７５上に載置された検出スイッチ８５が、第２の左側壁１７３および右側壁７４によって挟み込まれた状態で保持されることになる。即ち、第２の案内部材２０３は前後に開口した筒状となっており、第１の案内部材１０３を通過して第２の案内部材２０３へと流下した遊技球（図示外）は、検出スイッチ８５を通過して下方へ流下していくことになる。【００１７】  また、上述した第２の案内部材２０３の後方には、前後方向（図中左右方向）に進退可能なプランジャ３０が設けられており、当該プランジャ３０の後方には、プランジャ３０を進退させるソレノイド３５が設けられている。プランジャ３０には前後方向に延びるＬ字型の長尺のスライド部材２１が連結されており、このスライド部材２１が前後にスライド運動することによって、第１の案内部材１０３に回動自在に設けられた操作部材２２が回動するようになっている。また、スライド部材２１は、第２の案内部材２０３の右側壁７４内面に形成されたリブ（図示外）によって、前後方向にのみスライド可能に保持されている。尚、スライド部材２１と操作部材２２とを合わせたものが請求項における連結部材に相当する。スライド部材２１については後ほど詳述する。【００１８】  次に、操作部材２２について説明する。尚、以下の説明中操作部材２２の姿勢に関係するところは、可動翼片対８，８が起立状態である場合を考える。図３に示すように、操作部材２２は、側面視略Ｌ字型形状で、正面視コの字型形状となっている。詳細には、操作部材２２は、水平方向に延びる水平部２２ａと、当該水平部２２ａの後端から上方に延びる鉛直部２２ｂとを一対有し、この一対の鉛直部２２ｂの上端部同士が連結部２２ｃで連結された形状となっている。そして、操作部材２２を正面視したとき、連結部２２ｃと、互いに平行な２つの鉛直部２２ｂとで、下方に開口したようなコの字型形状が形成されている。また、各鉛直部２２ｂ下端部の外側面からは、操作部２２の回動中心となる円柱状の回動軸１２２がそれぞれ垂直外向きに凸設されている。当該回動軸１２２は、第１の案内部材１０３の底側壁７２に形成された軸保持部１７２に回動可能に軸支されることになる。操作部材２２は、水平方向および遊技盤に平行な方向に延びる回動軸１２２を有しているため、可動翼片対８，８とは垂直方向に回動することになる。【００１９】  また、水平部２２ａと鉛直部２２ｂとが交差する部分の外側面には、後述のスライド部材２１と係合し、このスライド部材によって後方に引っ張られる円柱状の係合凸片１２３が設けられている。この係合凸片１２３は、左右一対の水平部２２ａ，２２ａに対し、一方（図中手前側、即ち第２の案内部材２０３の右側壁７４側）の水平部２２ａの外側面にのみ設けられている。【００２０】  また、水平部２２ａの前端部からは、円柱状のアーム軸２２２が突出している。このアーム軸２２２は、可動翼片８の裏面８ｂに形成された切欠部２０８（図５参照）に常に係合し、操作部材２２が回動軸１２２を中心に回動するのに伴って可動翼片８を直接的に起立、傾動させることになる。そのため、操作部材２２は、そのアーム軸２２２が可動翼片対８，８方向（前方）を向くように、かつ連結部２２ｃが遊技球の球流路と干渉しないよう球流路をその上側で避けるような状態に配設されている。【００２１】  以上説明した操作部材２２は、プランジャ３０に連結されたスライド部材２１が進退することによって回動可能となっている。スライド部材２１は、図３に示すように、所定厚を有する板状部材がＬ字型に曲折されて、前後方向に長尺な形状を有している。Ｌ字型に曲折されているのは、遊技球の流路と干渉するのを側方で避けつつ、かつプランジャの進退を側方にて操作部材２２に伝えるためである。そして、スライド部材２１のＬ字の短辺部分はプランジャ３０と連結されており、長辺部分の先端には上述の係合凸片１２３に係合するための縦長円形状の貫通孔１２１が設けられている。【００２２】  このスライド部材２１は、右側壁７４の内面に形成された図示しないリブ等によって前後方向にのみスライド可能に支持されており、スライド部材２１のスライド運動に伴って、それと係合した操作部材２２が回動することになる。取付板５の後側には上述のような構成要素が設けられており、各構成要素を備えた第１の案内部材１０３および第２の案内部材２０３は、それぞれの案内部材外側に設けられたボス、リブ等にビス等が螺入されることによって互いに連結されるようになっている。【００２���】  次に、図４、５を参照して、可動翼片対８，８の回動について説明する。ここで、図４は、可動翼片対８，８が起立状態のときの後方斜視図であり、図５は、可動翼片対８，８が傾動状態のときの後方斜視図である。尚、両図では、可動翼片対８，８および実質的に可動翼片対８，８の回動を司る部材のみを示し、他の部材については省略している。図４に示すように、ソレノイド３５が消磁状態のときは、プランジャ３０は後退せず可動翼片対８，８は起立状態となる。ソレノイドの消磁状態では、プランジャ３０は前方に位置し、操作部材２２に設けられた係合凸片１２３は、スライド部材２１に設けられた貫通孔１２１の下端縁に保持されるような位置にあって、貫通孔１２１内の係合凸片１２３の上方には空間が形成された状態となっている。尚、図４からも、操作部材２２が片側（図中手前側）のみでスライド部材２１と連結されていることが確認できる。【００２４】  ソレノイドが励磁状態となると、図５に示すように、プランジャ３０が後退して、スライド部材２１によって操作部材２２の係合凸片１２３が後方に引っ張られる。上述のように、係合凸片１２３は、可動翼片対８，８が起立した状態、即ち消磁状態で回動軸１２２よりも前方かつ上方に位置するように設けられているので、操作部材２２が回動軸１２２を中心に回動すると、係合凸片１２３が消磁状態のときよりも後方および上方に変位することになる。スライド部材２１に設けられた貫通孔１２１はその変位を許容するように縦長の長円形に形成されており、貫通孔１２１内を見ると、係合凸片１２３が上方に変位していくのが分かる。【００２５】  操作部材２２は、係合凸片１２３の変位に伴って回動軸１２２を中心に回動し、水平部２２ａから突出したアーム軸２２２が可動翼片８の裏面８ｂに形成された切欠部２０８を介して可動翼片８を回動させることになる。切欠部２０８は、可動翼片８の裏面８ｂの下端部にて、下方に開口するように形成されており、可動翼片８は、自身の回動中心である貫通孔１１８を切欠部２０８よりも外側かつ上方に有している。従って、切欠部２０８が上方に押し上げられると、当然のことながら可動翼片８が逆ハの字状に開くように回動することになる。【００２６】  このように、ソレノイド３５の消磁、励磁によるプランジャ３０の進退に伴ってスライド部材２１が進退し、それが操作部材２２の回動運動に変換されて、操作部材２２が自身のアーム軸２２２で可動翼片対８，８を裏側から上方に押し上げることによって可動翼片対８，８が起立、傾動の両状態となる。以上説明したように、本実施形態の電動役物では、ソレノイド３５およびプランジャ３０を可動翼片対８，８の後方に配置するとともに、スライド部材２１を側方に片持ち状態で配置し、可動翼片対８，８の上下に構成部材を配置しないようにしたので、役物を左右方向及び上下方向で小さくでき、全体的にコンパクトにすることができる。さらに、可動翼片の回動時に、連結部材（スライド部材２１及び操作部材２２）が、もとの位置よりも上下方向や左右方向に膨らんで変位するようなことがないので、可動翼片の静止時、動作時に関わらず、常に役物全体の寸法を小さくすることができる。従って、遊技機盤面において��要以上にスペースを占めることがなく、他の構成部材等を比較的自由に配置することができることになる。【００２７】  次に、図６〜８を参照して、本発明の第２の実施形態について説明する。尚、本実施形態においては、上記実施形態と重複する部分の説明は省略する。本実施形態の電動役物は、スライド部材を２つの部材から構成し、可動翼片を外部から不正に傾動（回動）させるのを防止するためのロック機構を備えた点で上記実施形態の電動役物とは異なり、それ以外の構成は上記実施形態の電動役物と共通している。図６に示すように、本実施形態の電動役物（全体は図示せず）では、スライド部材２２１が２つの部材から構成されている。詳細には、スライド部材２２１は、プランジャ３０に連結された第１のスライド部材２２１ａと、操作部材２２の係合凸片１２３に係合する第２のスライド部材２２１ｂとから構成されている。尚、これら２つの部材から構成されたスライド部材２２１は、上記実施形態のスライド部材２１と同様に、第２の案内部材２０３の右側壁７４内面に形成されたリブ（図示外）に支持されて、互いに連動して前後方向にスライドするようになっている。【００２８】  スライド部材２２１は、スライド部材２１と同様に全体として略Ｌ字型形状となっている。スライド部材２２１を構成する２つの部材の内、第１のスライド部材２２１ａはプランジャ３０に連結された短辺部分と当該短辺部分の一端縁から垂直前方に延びた長辺部分とを備えている。より詳細には、第１のスライド部材２２１ａは、所定厚を有する長尺の板をＬ字状に曲折させた形状を有し、プランジャ３０に連結された短辺部分のプランジャ連結部３２１と、当該プランジャ連結部３２１の一端縁（図中手前側端縁）から前方向に延び、第２のスライド部材２２１ｂと係合して第２のスライド部材２２１ｂを連動させる連動部３２２とを備えている。【００２９】  連動部３２２は、前後方向に長尺な長方形状であり、その長辺のおよそ４分の３を占める前側（図中左側）領域において、下側が凹字状に切り欠かれた形状となっており、ここの領域は、下方に凸となった凸の字型輪郭を有している。また、切り欠かれた領域を３等分したとき、その真中に位置する略３分の１の領域が下側に凸となった凸形状部３７２となっており、当該凸形状部３７２の前後両側にそれぞれ位置する略３分の１ずつの領域が、上側に凹んだ、即ち凸形状部３７２よりも幅方向寸法の小さな凹形状部３７３となっている。また、後側の凹形状部３７３のさらに後側には、切り欠かれずに凸形状部３７２および凹形状部３７３よりも大きな幅方向寸法を持った部分であって、自身後端縁がプランジャ連結部３２１と連続した基部３７１が形成されている。即ち、連動部３２２には、後側から基部３７１、凹形状部３７３、凸形状部３７２、凹形状部３７３がこの順番でそれぞれ連動部全体の略４分の１ずつの長さをもって形成されている。また、前側の凹形状部３７３の先端下側は面取りされており、そこが操作部材２２の回動を抑制する回動抑制部３７５となっている。回動抑制部３７５については後で詳述する。【００３０】  また、第２のスライド部材２２１ｂは、所定厚を有する略長方形の板状部材であって、第１のスライド部材２２１ａの連動部３２２と係合すべく、上方に凹んだ凹の字型輪郭を有している。詳細には、第２のスライド部材２２１ｂは、連動部３２２の後側凹形状部３７３と嵌合し、この凹形状部３７３よりも長さが小さい凸形状部４７１と、当該凸形状部４７１の前端から縮幅しつつ前方に延び、第１のスライド部材２２１ａの凸形状部３７２と嵌合し、この凸形状部３７２よりも長さの大きい凹形状部４７２と、凹形状部４７２の前端から拡幅しつつ前方へ延びた凸形状部４７３とを備えている。即ち、第２のスライド部材２２１ｂは、後側から順に凸形状部４７１、凹形状部４７２、凸形状部４７３を備えており、それぞれが、第２のスライド部材２２１ｂ全体の略３分の１ずつの長さを有している。【００３１】  そして、第１のスライド部材２２１ａの連動部３２２と第２のスライド部材２２１ｂとは、その凸字型形状と凹字型形状とが当接するように嵌合（係合）されて一体をなし、第１、第２のスライド部材によって上記実施形態のスライド部材２１と略同一形状のスライド部材２２１が形成されている。ここで、上述したように、第１のスライド部材２２１ａにおける連動部３２２の各凹凸形状部と第２のスライド部材２２１ｂの各凹凸形状部とは、完全に嵌り合ってしまうのではなく、嵌合可能な長さ関係であってかつ少しずつ異なる長さとなっている。それにより、双方のスライド部材が相手方に対して所定量だけ摺動可能とされている。【００３２】  また、第２のスライド部材２２１ｂの凸形状部４７３の前端近傍には、操作部材２２の係合凸片１２３と係合するための半長円形の切欠４７５が上方に開口するように形成されている。さらに、この切欠４７５の前側には、凸形状部４７３の切欠４７５の後側領域よりもさらに拡幅し、係合凸片１２３が上方へ変位する際にこの凸片を案内する凸片案内部４７６が小さい長さをもって形成されている。即ち、上記実施形態においては、操作部材の係合凸片の係合対象として、スライド部材に縦長円形の貫通孔が設けられていたのに対し、本実施形態では、係合凸片の係合対象として上方に開口した切欠４７５が形成されている。尚、切欠４７５は、その内部で係合凸片１２３が上方に変位した場合も、係合凸片１２３が外側に脱落しない程度の深さに形成されている。具体的には、係合凸片１２３は、上記凸片案内部４７６により前方への脱落が防止され、また回動抑制部３７５によって後方への脱落が防止されている。【００３３】  上述したように、操作部材２２は、その係合凸片１２３がスライド部材によって後方に引かれることによって回動するようになっており、回動に伴って係合凸片１２３は後方および上方に変位する。従って、操作部材２２が回動するためには、係合凸片１２３が後方および上方に変位可能であることが必須の要件となる。本実施形態では、切欠４７５の上方が開放されていれば、当然ながら係合凸片１２３は後方および上方に変位することができるので、操作部材２２は回動でき、それによって可動翼片対８，８を回動（傾動）させられる。しかしながら、図６に示すように、可動翼片対８，８が起立した状態、即ちソレノイド３５の消磁状態では、第１のスライド部材２２１ａにおける連動部３２２先端の回動抑制部３７５が切欠４７５の上方を塞いでいる。従って、可動翼片対８，８が起立した状態では係合凸片１２３は上方への変位ができず、回動抑制部３７５を切欠４７５上方から取り除かない限り操作部材２２が回動できないようになっている。尚、本実施形態においても、スライド部材２２１は、第２の案内部材２０３の右側壁７４（図３参照）の内面に形成された前後方向に延びるリブ等の部材によって、上下方向には変位せず、前後方向にのみスライド可能となっている。【００３４】  回動抑制部３７５は、ソレノイド３５の励磁によるプランジャ３０の後退に伴って第１のスライド部材２２１ａが後退することによって切欠４７５の上方を開放する。具体的には、図７に示すように、ソレノイド３５の励磁により、プランジャ３０が後退し始めると、それに伴って第１のスライド部材２２１ａが後退する。第１のスライド部材２２１ａが後退するのに伴い、その連動部３２２の凸形状部３７２が後方に変位し、凸形状部３７２が、自身に対し相対的に停止していた第２のスライド部材２２１ｂの凸形状部４７１に当たって当該凸形状部４７１を後方へ押す。凸形状部３７２が凸形状部４７１を押す前段、即ち両者が当接したときに、回動抑制部３７５は切欠４７５の上方からすでに移動しているが、図７に示すような両者が当接しただけの状態では、第２のスライド部材２２１ｂは動いていないので係合凸片１２３はまだ後方へは引かれておらず、操作部材２２もまだ回動してはいない。【００３５】  そして、図８に示すように、プランジャ３０の後退によってさらに第１のスライド部材２２１ａが後退すると、連動部３２２の後退に連動して第２のスライド部材２２１ｂも後退することになる。第２のスライド部材２２１ｂが後退すると、それに係合した係合凸片１２３が上方に変位しつつ後退するので、操作部材２２が回動し、可動翼片対８，８が傾動することになる。以下、可動翼片対８，８の一連の動きについては上記実施形態と同じなので、詳細な説明は省略する。【００３６】  ここで、回動抑制部３７５の先端下部に形成された面取り部３７５ａについて説明する。回動抑制部３７５の先端下部には、可動翼片８の回動時に操作部材２２の係合凸片１２３に当接する面取り部３７５ａが形成されている。可動翼片対８，８を傾動させるとき、図６〜８に示すように、スライド部材２２１が後方に引っ張られて係合凸片１２３の上方が開放される。係合凸片１２３は、面取り部３７５ａに当たってガイドされることで後側上方にスムーズに変位することが可能となる。また、逆に可動翼片対８，８を起立状態にするときは、面取り部３７５ａが係合凸片１２３に当たり、係合凸片１２３を前側下方に押していく。即ち、可動翼片対８，８の起立時には、面取り部３７５ａによって係合凸片１２３に前方及び下方への力を付与することができるので、係合凸片１２３をスムーズかつ確実に押し下げることができ、可動翼片対８，８を確実に起立状態に戻すことができる。【００３７】  回動抑制部３７５に面取り部３７５ａがない場合を考えると、回動抑制部を切欠４７５の上方から完全になくさなければ開放がされないので、プランジャによる引き量が一定という条件下では、抑制部の全長を必然的に短くしなければならない。しかし���回動抑制部先端をこのように面取り形状としたことによって、回動抑制部の長さを全体的に長くすることができる。従って、ソレノイドの消磁状態では係合凸片１２３の上方を回動抑制部３７５によって確実に塞ぐことができ、凸片が上方に変位するのをより確実に防止することができる。即ち、ソレノイドの励磁なしに係合凸片１２３の上方への変位を不可能としたので、例えば、遊技盤の表側から可動翼片対を無理やり傾動させるといった不正行為を確実に防止することができる。【００３８】  次いで、図９を参照して、本発明の第３の本実施形態について説明する。尚、本実施形態においては、上記実施形態と重複する部分の説明は省略する。本実施形態の電動役物２は、可動翼片対８，８の上方にチャッカーを設けたものであり、それ以外の構成は上記第１、第２の実施形態と共通している。本実施形態の説明では電動役物２の外側からの全体斜視図のみを参照するが、そのスライド部材の構造は上記何れの実施形態のものを採用してもよい。ただし、スライド部材は右側面７４側に設けられているものとする。図９に示すように、電動役物２は、上記実施形態と共通の部品構成を備え、取付板５の上端縁中央が半円形に切り欠かれ、そこに一体的にチャッカー１２が設けられている。【００３９】  チャッカー１２に流下した遊技球は、取付板５の上端縁中央に形成された入賞口１１を通過し、遊技盤（図示外）後方に向かって上述の球流路と平行に流下していくことになる。遊技球を上記球流路と平行に流下させるための球通路（請求項３における球通路に該当する）は、案内部材３の内側ではなく外側に形成されており、具体的には、取付板５の後側に形成された第１の上側壁７１の外側面上に形成されている。上側壁７１の外側面には、前後方向に平行に延びる右側案内壁１３、左側案内壁１４が一対となって設けられている。これら左右案内壁１３，１４は、入賞口１１の直径よりもやや大きく離間して互いに平行に延びており、右側案内壁１３が右側壁７４と平行に、左側案内壁１４が左側壁７３（図３参照）と平行になっている。右側案内壁１３の後端には、略くの字型の後側案内壁１５が連なっている。後側案内壁１５は、その一端縁１５ａが右側案内壁１３の後端と接しており、くの字状に曲折されたその先の他端縁１５ｂが、左側案内壁１４の後端から所定寸法、詳細には遊技球が通過可能なだけの寸法だけ後方に離間した箇所に位置している。【００４０】  即ち、チャッカー１２に流下した図示外の遊技球は、入賞口１１を通過し、左右案内壁１３，１４に囲まれた領域を流下して、さらに後側案内壁１５に案内されることによって、その進路が左側に変えられつつ流下していくことになる。上述したように、可動翼片対８，８を起立、傾動させるためのスライド部材は右側壁７４側に設けられており、左側にはそのようなリンク部材が一切配設されていないので、その左側領域を入賞口１１から流下した遊技球の通路として有効に利用することができる。上記第１の実施形態に係る電動役物１では、上下寸法を小さくすることができるという効果が得られた。本実施形態の電動役物では、その効果を利用して、さらにスライド部材を片持ちとしたことによってその反対側に自由なスペースを確保���きたので、他の入賞口もあわせて一体的に設けることができた。以上説明したように、本実施形態の電動役物では、上下方向寸法の削減によって生まれた領域に他の入賞口を設けることができるので、役物自体の大きさをよりコンパクトにでき、遊技機盤面をさらに有効に利用することができる。【００４１】  尚、本発明は、上記実施の形態に限定されるものではなく、各種の変形が可能である。例えば、上記第１の実施形態では、スライド部材を右側壁側に設けたが、その配設位置は右側ではなく左側でもよく、プランジャと操作部材とを片持ち状態でリンクさせられればよい。また、スライド部材の進退を可動翼片対に伝達するにあたって、スライド部材と操作部材（係合凸片）との連結位置、また操作部材の回動中心等は、上記第１の実施形態で例示したものに限定されず、適宜変更が可能である。これらは上記第２の実施形態についても共通して言えることである。さらに、第３の実施形態では、スライド部材を右側壁側に、チャッカーに入賞した遊技球の進路を左方にしたが、例えば、スライド部材を左側壁側に設け、遊技球の進路を右方にするよう案内壁を設けてもよい。即ち、スライド部材を配設した側とは反対側に球通路を形成すれば、上記実施形態で得られた効果と同様の効果を得ることができる。
【図面の簡単な説明】
【００４２】
【図１】第１の実施形態に係る電動役物１の全体斜視図である。
【図２】電動役物１の正面図である。
【図３】電動役物１の分解斜視図である。
【図４】第１の実施形態において、可動翼片対８，８が起立状態のときの後方斜視図である。
【図５】第１の実施形態において、可動翼片対８，８が傾動状態のときの後方斜視図である。
【図６】第２の実施形態において、ソレノイド３５が消磁状態で、可動翼片対８，８が起立した状態を示す後方斜視図である。
【図７】第２の実施形態において、ソレノイド３５が励磁状態で、第２のスライド部材２２１ｂが第１のスライド部材２２１ａによって後方に引かれる前の状態を示す後方斜視図である。
【図８】第２の実施形態において、ソレノイド３５が励磁状態で、第２のスライド部材２２１ｂが第１のスライド部材２２１ａによって後方に引かれた状態を示す後方斜視図である。
【図９】第３の実施形態に係る電動役物２の全体斜視図である。
【符号の説明】
【００４３】    １  電動役物
２  電動役物
３  案内部
５  取付板
８  可動翼片
１２  チャッカー（入賞口）
２１  スライド部材
２２  操作部材
３０  プランジャ
３５  ソレノイド
２２１  スライド部材
２２１ａ  第１のスライド部材
２２１ｂ  第２のスライド部材
３７５  回動抑制部
【図１】
2008173413.tif 000003
【図２】
2008173413.tif 000004
【図３】
2008173413.tif 000005
【図４】
2008173413.tif 000006
【図５】
2008173413.tif 000007
【図６】
2008173413.tif 000008
【図７】
2008173413.tif 000009
【図８】
2008173413.tif 000010
【図９】
2008173413.tif 000011